(57)【要約】      （修正有）【課題】商品説明書をブリスター包装材の台紙の積層面に取扱説明書等の印刷を施工しておき、消費者が積層を剥離して積層面の印刷を読むことができるように構成する。ブリスター包装体に、商品説明書を別に添付する必要がなく、印刷面を６ページ分の印刷スペースまで露出可能にすることができる。【解決手段】長方形合成樹脂シートを、印刷面を外側にして、２本の折り曲げ線上で、両短辺縁を内側に折り曲げて二重構造シートを形成して、さらに該二重構造合成樹脂シートをほぼ半折して、四重構造シートを形成して、当該四重構造シートの側縁を一体的に溶断溶着してブリスター包装体の台紙を形成する際に、四重構造シートの中央積層間に融着阻害処理面を設け、側縁の溶断溶着した積層間を半溶着の剥離可能状態にして、積層面内部の印刷面を露出してせしめる構造のブリスター包装材。【選択図】図１
2010064768.tif 000002
【特許請求の範囲】
【請求項１】
台紙の表面側に周縁にフランジを有するブリスター部が、該フランジ面により表面側の合成樹脂シートに固定されているブリスター包装材において、片面に印刷面を有し、短辺の長さの４倍以上の長辺からなる長方形の印刷面を有する合成樹脂シートを、前記印刷面を外側にして、短辺に平行な２本の折り曲げ線上で、両短辺縁を内側に折り曲げることにより、２枚重ねの積層の外側全面に印刷面を有し、折り曲げる前の長方形合成樹脂シートの半分の面積の二重構造長方形合成樹脂シートを形成し、次いで、該二重構造長方形合成樹脂シートの内側面の両短辺の接合線によって２区分された該二重構造長方形合成樹脂シートの内側面のいずれかの１区分の面に融着阻害処理面を設け、前記両短辺の接合線を折り曲げ線として、該折り曲げ線を内側にして二重構造長方形合成樹脂シート折り曲げて形成してなる四重構造の合成樹脂シートの側縁を溶着施工することによって形成してなることを特徴とするブリスター包装材。
【請求項２】
印刷面を有する長方形合成樹脂シートが、合成樹脂シートに薄手の印刷フイルムを積層したものである請求項１記載のブリスター包装材。
【請求項３】
融着阻害処理面がコロナ放電処理面である請求項１又は請求項２記載のブリスター包装材。
【請求項４】
二重構造長方形合成樹脂シートの内面の少なくとも一部に印刷面を有するものであって、該印刷面を有する積層を形成する少なくとも一方の面に、融着阻害処理面を有する請求項１、請求項２又は請求項３記載のブリスター包装材。
【請求項５】
合成樹脂シートに薄手の印刷フイルムの積層がドライラミネートによるものである請求項２、請求項３又は請求項４記載のブリスター包装材。
【請求項６】
請求項１〜５のいずれか記載のブリスター包装材のブリスター部に商品を収納してなるブリスター包装体。
【請求項７】
長尺の帯状合成樹脂シートに製造すべき台紙の寸法に応じて所定の幅毎に印刷模様を反復印刷し、印刷面を有する帯状合成樹脂シートを作製し、該帯状合成樹脂シートのいずれかの印刷面がある端縁部に帯状合成樹脂シート幅の略２５％の幅で、融着阻害処理面を有する帯状合成樹脂シート用意し、これを連続的に折り曲げ工程に送り出して、帯状合成樹脂シートの両端縁から一定距離の２本の平行線上で、前記印刷面が外側に向く方向に折り曲げて、帯状合成樹脂シートの中央部の上に両端縁部を、両端がちょうど帯状合成樹脂シートの中央線近傍の接合線上で一致して接合するように重ねて、全幅に亘って二重構造となる帯状合成樹脂シートを形成し、次いで、前記中央線近傍の接合線上で二重構造の帯状合成樹脂シートを折り曲げて重合して帯状四重構造シートを形成し、帯状四重構造シートを台紙の幅に対応したワンピッチ移送に転換して、これをブリスター部の固定工程に送り出して、商品入りのブリスター部を台紙表面に固定したのちに、台紙の幅毎に帯状四重構造シートを溶断するブリスター包装体の製造方法。
【請求項８】
融着阻害処理面がコロナ放電処理面である請求項７記載のブリスター包装体の製造方法。
【請求項９】
印刷面を有する帯状合成樹脂シートが、帯状合成樹脂シートに薄手の印刷フイルムを積層したものである請求項７記載のブリスター包装体の製造方法。
【発明の詳細な説明】
【技術分野】
【０００１】
本発明は、ブリスター包装体の台紙の裏面側に、商品の説明及び宣伝広告のための印刷スペースを増加させたブリスター包装材に関する。
【背景技術】
【０００２】
台紙の表面に小型商品を収納するブリスター部を固定したブリスター包装体は、商品の立体形状が外観から把握でき、陳列スペースを有効に使用できるために好まれ、広く実施されているが、台紙の表側には立体的に突出しているブリスター部があるため、商品の取り扱い説明、宣伝又は広告の印刷スペースは、台紙の裏面のスペースに限られる。
ブリスター包装体は、小型の電気製品をはじめ、ヘッダー部に吊り下げ穴を設けたブリスター包装材に収納されて店頭に吊り下げ展示される商品に使用されることが多い。中でも電気電子機器や、医薬部外品などは取扱説明書や効能書きなどの添付が必須であり、これら商品説明は、台紙の裏面１ページ分のスペースでは不足するために、取扱説明書等の資料をブリスター容器に商品とともに同封されるのが一般的である。しかし、説明書を別に作製して同封することは、第一に、包装材の印刷とは別に、説明資料用の印刷版や説明印刷物を用意することが必要となる。さらに、出来上がった説明資料をブリスター包装体に添付する操作に手間がかかる。説明資料の添付は、通常は、空間の限られたブリスター部に商品とともに収納する方法若しくは説明書を粘着テープで台紙に貼着したり、又は、台紙の裏面側に袋体部を設けて、この袋体部に説明書を入れることが提案されているが、いずれの方法も手作業を必要とし手間がかかる。これらの方法を採用すると、ブリスター包装体の利点の一つであるブリスター部に商品を収納して、包装材の製造とともに包装体を製造すれば、自動包装できるブリスター包装体の利点を活用できない。
この欠点を解消するために、特開２００６−１３１３０５号公報（特許文献１）において、ブリスター包装材の台紙の裏面側に、印刷スペースを２ページ分増加する提案がなされている。
この技術は、台紙の裏面側の印刷面の上に剥離可能なフラップ片を設け、これを引き剥がすことによって、最初に存在した台紙の裏面シートの１ページ分の印刷スペースに、剥がしたフラップ片の裏面印刷と引き剥がしによって露出した台紙裏面の印刷の２ページ分の印刷面を増加させて、合計３ページ分の印刷スペースを商品の説明、宣伝広告に用いる提案である。
しかし、この提案技術において、３ページ分の印刷を行うためには、どうしても２種類の印刷版が必要となり、印刷版が２種類必要ということは、印刷を表裏別々に行う２度刷りで印刷をする必要が生じる。そのため、３ページの印刷模様を同調させるために、２度刷りする２回の印刷面を同調させる困難が生じる。
また、特開２００６−１３１３０５号公報のフラップ方式では、４ページ分以上の印刷スペースをとることはできない。
【特許文献１】特開２００６−１３１３０５号公報
【発明の開示】
【発明が解決しようとする課題】
【０００３】
本発明は、ブリスター包装材の台紙の積層面に取扱説明書等の印刷を施工しておき、消費者がブリスター包装体購入後に積層を剥離して積層面の印刷を読むことができるように構成することによって、ブリスター包装体に、商品説明書を別に添付する必要がなく、所望によって、台紙積層間に内蔵されている印刷面を６ページ分の印刷スペースまで露出可能にすることができるブリスター包装材又はブリスター包装体並びにブリスター包装体の製造方法を提供することを目的としてなされたものである。
【課題を解決するための手段】
【０００４】
本発明は、長辺が短辺の４倍以上である長方形状合成樹脂フイルム１枚の印刷面を有する合成樹脂シートの両端を印刷面を外側にして内側に折り畳んで曲げ、折り曲げ線の左右の合成樹脂シートの短辺の縁を折り曲げ線の上に合わせて、折り曲げ線の左右の合成樹脂シートをそれぞれ半折重合して、二重積層構造を形成し、次いで、再度、折り曲げ線の位置で、二重積層構造を折り曲げて四重積層構造を形成し、この四重積層構造の側縁を溶着させて、作製される台紙であって、側縁溶着の前に、四重積層構造の二重積層構造同士の積層間に融着阻害処理面を存在させて、四重積層の二重構造と二重構造の中間の積層を剥離可能とし、さらに所望によって、二重積層構造の積層間にも、融着阻害処理面を設けて、二重積層間も剥離可能として、ブリスター包装体の商品の説明、宣伝のための印刷スペースを最大４ページまで増加せしめる発明である。
すなわち、本発明は、
（１）台紙の表面側に周縁にフランジを有するブリスター部が、該フランジ面により表面側の合成樹脂シートに固定されているブリスター包装材において、片面に印刷面を有し、短辺の長さの４倍以上の長辺からなる長方形の印刷面を有する合成樹脂シートを、前記印刷面を外側にして、短辺に平行な２本の折り曲げ線上で、両短辺縁を内側に折り曲げることにより、２枚重ねの積層の外側全面に印刷面を有し、折り曲げる前の長方形合成樹脂シートの半分の面積の二重構造長方形合成樹脂シートを形成し、次いで、該二重構造長方形合成樹脂シートの内側面の両短辺の接合線によって２区分された該二重構造長方形合成樹脂シートの内側面のいずれかの１区分の面に融着阻害処理面を設け、前記両短辺の接合線を折り曲げ線として、該折り曲げ線を内側にして二重構造長方形合成樹脂シート折り曲げて形成してなる四重構造の合成樹脂シートの側縁を溶着施工することによって形成してなることを特徴とするブリスター包装材、
（２）印刷面を有する長方形合成樹脂シートが、合成樹脂シートに薄手の印刷フイルムを積層したものである(１)項記載のブリスター包装材、
（３）融着阻害処理面がコロナ放電処理面である(１)又は(２)項記載のブリスター包装材、
（４）二重構造長方形合成樹脂シートの内面の少なくとも一部に印刷面を有するものであって、該印刷面を有する積層を形成する少なくとも一方の面に、融着阻害処理面を有する(１)、(２)又は(３)項記載のブリスター包装材、
（５）合成樹脂シートに薄手の印刷フイルムの積層がドライラミネートによるものである(２)、(３)又は(４)項記載のブリスター包装材、
（６）(１)〜(５)項のいずれか記載のブリスター包装材のブリスター部に商品を収納してなるブリスター包装体、
（７）長尺の帯状合成樹脂シートに製造すべき台紙の寸法に応じて所定の幅毎に印刷模様を反復印刷し、印刷面を有する帯状合成樹脂シートを作製し、該帯状合成樹脂シートのいずれかの印刷面がある端縁部に帯状合成樹脂シート幅の略２５％の幅で、融着阻害処理面を有する帯状合成樹脂シート用意し、これを連続的に折り曲げ工程に送り出して、帯状合成樹脂シートの両端縁から一定距離の２本の平行線上で、前記印刷面が外側に向く方向に折り曲げて、帯状合成樹脂シートの中央部の上に両端縁部を、両端がちょうど帯状合成樹脂シートの中央線近傍の接合線上で一致して接合するように重ねて、全幅に亘って二重構造となる帯状合成樹脂シートを形成し、次いで、前記中央線近傍の接合線上で二重構造の帯状合成樹脂シートを折り曲げて重合して帯状四重構造シートを形成し、帯状四重構造シートを台紙の幅に対応したワンピッチ移送に転換して、これをブリスター部の固定工程に送り出して、商品入りのブリスター部を台紙表面に固定したのちに、台紙の幅毎に帯状四重構造シートを溶断するブリスター包装体の製造方法、
（８）融着阻害処理面がコロナ放電処理面である(７)項記載のブリスター包装体の製造方法、及び、
（９）印刷面を有する帯状合成樹脂シートが、帯状合成樹脂シートに薄手の印刷フイルムを積層したものである(７)項記載のブリスター包装体の製造方法、
を提供するものである。
【発明の効果】
【０００５】
本発明のブリスター包装体は、四重構造の台紙の裏側の二重構造シート２を指で剥がして、該裏側の二重構造シート２の内面の印刷及び台紙の表側の二重構造シート１の裏面の印刷区分１５及び１６の印刷面を露出させることができる。
さらに、所望により、ブリスター包装体の台紙に、両面に印刷面がある合成樹脂シートを用いれば、二重構造シートの積層面部分にも印刷が存在して、上記二重構造シートの中央積層間を剥がして、図８のように、２面の印刷面を露出した状態から、下方にある裏側の二重構造シート２の上縁から表面側の１枚の合成樹脂シートのみを引き剥がして、さらに、上方の裏側二重構造シート２の下縁から表側の合成樹脂シート１を１枚のみ引き剥がして、二重構造シートの積層間にある印刷を全て露出させることができる。このとき、合計４面の印刷面を大幅に増加させることができる。本発明のブリスター包装材は、ブリスター包装体に別に作成した説明資料等の添付をすることなく、詳細な説明文の印刷をシートの積層間に保存することができる。
【発明を実施するための最良の形態】
【０００６】
以下に実施例の図面に基いて、本発明を詳述する。
本発明のブリスター包装体の基本構造の態様は、図１の側断面図及び図２の平面図で示されるものである。
表側の二重構造シート１及び裏側の二重構造シート２からなる四重構造シートの台紙Ｄの表側の二重構造シート１の表面に、ブリスター部４がフランジ５で固定されている。この固定は、接着剤、溶着固定又は嵌め込み固定を用いることができる。
ブリスター部４の中には、商品１２が収納されている。このブリスター包装体は、吊り下げ穴６によって、売り場に吊り下げて陳列することができる。
台紙Ｄの側縁は、図２の溶断線１１で溶着している。プラスチック製ブリスター包装材の連続製造工程では、帯状に連なって製造されるブリスター包装材の製造工程の最終工程において、ブリスター包装材（又はブリスター包装体）を、１個単位に分離するときに、溶断工程において、ブリスター包装材の側縁を溶断する。この溶断工程では、側縁を切断するとともに、側縁が一体的に溶着して溶着側縁が同時に形成される。
図２のブリスター包装体は、この溶断線１１の位置で、台紙Ｄの四重構造シートの側縁は４層が一体的に溶着している。その結果、台紙の表側の二重構造シート１の面と裏側の二重構造シート２の面の間に、上方に開口部があり、左右両側縁及び底部からなる袋体部が形成される。
本発明のブリスター包装体の表側の二重構造シート１及び裏側の二重構造シート２の間には、融着阻害処理面８が介在しているので、表裏の裏側の二重構造シートの間は半溶着状態で固定されている。そのため、裏側の二重構造シート２の上端（前記袋体部の開口部の縁）を指で摘まんで、表側の二重構造シート１面から剥がすことによって、前記袋体部の側縁を底部まで引き剥がすことができ、表側の二重構造シート１及び裏側の二重構造シート２の前記袋体部の内面にあった印刷面を読み取ることができる。
本発明の融着阻害処理面は、溶断すべき側縁部の積層面にあれば、十分であるが、ブリスター包装材の連続製造工程において、溶断線上のみに施工することは、かえって手間がかかる。
図１の表側の二重構造シート１及び裏側の二重構造シート２の間の融着阻害処理面は、側縁部のみでなく、積層面全面に設けられている。
さらに、融着阻害処理面は、表側の二重構造シート１及び裏側の二重構造シート２の積層間のみでなく、印刷面を極度に不明瞭にしない限り、溶着阻害する必要のない外側面全面、すなわち印刷面を有する側の全面（後述の図４の下面全部）に設けることができる。
本発明の融着阻害処理面は、溶断工程におけるプラスチックシート（フイルム）の積層間の溶着を阻害するように処理した面であり、これには溶断面に物質を介在させる融着阻害物質を溶断の前に塗布する物質塗布手段と、溶断積層面を粗面化処理しておき、溶断工程において、積層の密着度を低下させて、溶断工程の溶着を半溶着状態にする粗面化処理手段がある。
前者の物質塗布手段としては、無色油性インキの印刷、ホットメルト接着剤の塗布、剥離ニス等の塗布又は無機微粒子（例えばシリカ微粒子）を分散した接着剤の塗布等のようにフイルム面への塗布が可能で、溶断を阻害して、半溶着状態を実現する物質であれば特に制限なく使用できる。そして、溶断線上の側縁以外の部分に全面施工する場合は印刷模様の鮮明度を低下させない程度に透明又は薄い膜面であることが望ましい。
後者の粗面化処理手段としては、物理的手段によって、フイルム表面をコロナ放電処理のような物理的に処理化する手段を用いることができる。
特に、コロナ放電処理は、印刷模様の鮮明度を低下させないばかりでなく、フイルムの印刷特性を向上させるとともに、融着阻害処理面を形成するので、本発明の印刷フイルムとしては、好適である。コロナ放電処理を用いる場合は、合成樹脂フイルム面にコロナ放電処理面を形勢してから印刷を施工する方が望ましい。
本発明の融着阻害処理面として、コロナ放電処理を用いる場合は、物質塗布手段と比較して、溶着阻止力が弱いので、溶断する積層の両側面にコロナ放電処理面を用いるのが望ましい。図１の構造のブリスター包装体の印刷面を有する合成樹脂シート３として、片面に全面的にコロナ放電処理した市販のプラスチックフイルムを使用すると、表側の二重構造シート１及び裏側の二重構造シート２の積層間には、コロナ放電処理面が二重に介在されていて剥離可能な積層となり、二重積層の内面には、コロナ放電処理面が存在しない完全溶着の積層となる。
【０００７】
図１のブリスター包装体に用いた原材料の合成樹脂シートは、短辺の長さの４倍以上の長辺の長さを有す長方形状であって、厚さ４０〜１０００μｍ、好ましくは６０〜５００μｍのシートを好適に使用することができる。合成樹脂の材質は、熱可塑性樹脂であれば特に制限なく使用でき、ポリプロピレン、ポリエチレン、塩化ビニル樹脂、ポリエステル、ナイロンを好適に使用することができる。
本発明の合成樹脂シートの長方形状の長辺の長さが、短辺の長さのちょうど４倍のときに、図１において表側の二重構造シート１及び裏側の二重構造シート２の長さが同一となる。長辺の長さが、短辺の長さの４倍を超えるときは、図１のように、裏側の二重構造シート２の長さが表側の二重構造シート１の長さより短くなるか、図１とは逆に裏側の二重構造シート２の長さを長くして、吊り下げ孔を裏側の二重構造シート２の上部に付けることもできる。
図１のブリスター包装体の裏側の二重構造シート２の上縁と裏側の二重構造シート２の裏面側とは、溶断線１１の位置以外は遊離して、開口している。従って、裏側の二重構造シート２と表側の二重構造シート１の間に、折り曲げ部を袋体底部Ｓとして、裏側の二重構造シート２と表側の二重構造シート１の両側縁が溶着されて、上部に開口部を有する袋体部が形成されている。この袋体部の側縁は半溶着状態であり、消費者が内面の印刷を読み取るために側縁を引き剥がすときに崩壊する袋体であるが、商品の包装後、消費者に渡すまでの期間に、補足説明資料、宣伝カード、景品カード、ブロマイド、ポイントカード等を挿入して活用する一時的袋体部とすることができる。
本発明の図１の合成樹脂シートの片面には印刷面（図示していない）を有している（図４参照）。
本発明の合成樹脂シートの印刷面は、合成樹脂シートの面に直接印刷する態様、直接印刷した印刷層の上に薄い合成樹脂フイルムの保護層を被覆する態様、及び薄い印刷フイルムを積層する態様がある。いずれの態様の場合も、印刷文字等が裏写りする場合は、白色、黒色等のベタ印刷を地色にして、反対色の印刷印字若しくは模様を施工するのが望ましい。印刷の手間と位置合わせの困難が伴うが、所望によって、ベタ印刷以外の印刷模様を２色、３色以上の多色刷りにすることも可能である。
【０００８】
本発明の合成樹脂シートは、熱可塑性樹脂製のシートであれば、溶着加工が可能であるので、台紙としての強度があれば、樹脂の種類に特に制限なく使用でき、例えば、ポリプロピレン、ポリエチレン、塩化ビニル樹脂、ポリエステル、ナイロン等の厚さ５０〜５００μｍ、好ましくは７０〜２００μｍのシート（又はフイルム）を好適に使用することができる。厚さが薄いと台紙としての剛性が低くなり、強度が弱くなる。
図１の合成樹脂シートの片面の印刷面は、長方形状の合成樹脂シートの表側の二重構造シート１及び裏側の二重構造シート２の外側面に設けられていて、それぞれの印刷面は、表側の二重構造シート１の上縁Ｔ及び裏側の二重構造シート２の上縁Ｒを印刷面を外側に向けたまま反転して、前記袋体内の内面を、表側の二重構造シート１及び二重構造シート２の印刷面を互いに対面させたままで、袋体底部Ｓにまで到達する。
本発明は、この構造によって、印刷フイルムの両端、すなわち袋体底部Ｓの一方の端から他方の端まで達する二重構造シートの外面の印刷を１面の印刷版で印刷することができる。すなわち、本発明のブリスター包装体の構造は、ブリスター包装体の表面から、裏面側、ヘッダー表面及び裏面袋体部の内面の印刷を１度刷りで実施できる構造である。
図１の表側の二重構造シート１の表面には、商品を収納したブリスター部がフランジ面を接着剤で固定することによって取り付けられている。ブリスター部の固定方法は、特に制限なく、フランジ面の接着剤、溶着、嵌め込み及びこれらの併用等による固定方法を特に制限なく使用できる。ここに言う「嵌め込み」とは、台紙にブリスター部の寸法に一致する孔を開けて、ブリスター部を台紙面の裏面から表面に突出させて、フランジを台紙の裏面又は中間層に固定する方法である。
【０００９】
図１のブリスター包装体の作成手順の一例を説明することによって、図１のブリスター包装体の構造を明確にする。
まず、図３の平面図及び図４の断面図で示される長方形の印刷面を有する合成樹脂シートを作成する。
長方形の合成樹脂シート（例えば合成紙）は、合成樹脂シートの片面に印刷したものであり、図４では、印刷層７によって示している。実際の印刷層７の厚さは、合成樹脂シートＡの厚さと比較すると、はるかに薄いものであるが、印刷層７の存在する面を明確にするために、図４では合成樹脂シートＡと同一の厚さに図示している。
なお、図４の印刷層７は、前述の印刷面の３態様のそれぞれに対応して、直接印刷した態様の場合は「印刷層」、保護フイルムを被覆した態様の場合は「印刷層＋保護フイルム層」及び印刷フイルムを積層した態様の場合は「印刷フイルム層」を示す。
図３に示すように、ブリスター包装材の台紙の表側部分の印刷区分１３には、印刷層７によって、取り付けるべきブリスター部のフランジの外枠位置を示す印刷及び商品名「ｍｅｍｏｒｙ  ｃａｒｄ」及び「５１２ＭＢ」の印刷が施工されている。
そして、印刷区分１３と積層されて表側の二重構造シート１を形成する同一寸法の印刷区分１５には、取扱説明書の内容文が印刷されている。次に、ブリスター包装材の台紙の裏側部分の印刷区分１４には、商品名が印刷されていて、印刷区分１４と積層されて裏側の二重構造シート２を形成する同一寸法の印刷区分１６には、使用上の注意の文が印刷されている。
印刷区分１３〜１６の印刷は、合成樹脂シートの同一側の片面であるので、一つの印刷版で印刷することができる。そのため、印刷区分１３〜１６の印刷模様を長尺の合成樹脂シートに反復印刷したときに、互いに印刷模様がずれることはない。
図４に示すように、印刷区分１５には、融着阻害処理面を設けておき、融着阻害処理面８は、印刷区分１５の溶着線１１（図２）上に線状に塗布すれば十分であるが、側縁のみに塗布することはかえって手間が懸かるので、透明な融着阻害処理面８を印刷区分１５全面に設ける方が加工性の点からは望ましい。図４では、融着阻害処理面８は、合成樹脂シートＡの印刷層７の上に設けられているが、融着阻害処理面は溶断工程の際に溶着すべき層の間にあれば有効に作用するものであり、融着阻害処理面８は、印刷層７と合成樹脂シートＡの間に設けることもできる。
融着阻害処理面８は、図４では、印刷区分１５に設けているが、印刷区分１３の面側に設けても同等の半溶着効果を発揮する。また、融着阻害処理面がコロナ放電処理面である場合には、印刷区分１５及び印刷区分１３の両方に設ける方が溶断の溶着力を適度に低下させることができるので、望ましい。また、コロナ放電処理は、印刷性を向上させることを考慮すると、印刷区分１６及び印刷区分１４も含めて印刷層側全面に設けることができて、この場合には、コロナ放電処理面は、合成樹脂シートＡ面に直接施工して、その上に印刷面を設けることになる。
次に、図４の合成樹脂シートを、折り曲げ線１８を折り目にして折り曲げ、印刷区分１５を反転して、図５の右部分のように、重ね合わせて、表側の二重構造シート１を形成する。
図４の印刷シートは、印刷区分１６を折り曲げ線１９を折り目にして折り曲げ、印刷区分１６を反転して、図５の左部分のように重ね合わせて、裏側の二重構造シート２を形成する。
最後に、折り曲げ線１７を折り目にして、表側の二重構造シート１と裏側の二重構造シート２を重ね合わせて、図６の四重構造シートの積層を形成することができる。
この四重構造シートの積層の側縁を溶着すると、各二重構造シートの積層は、完全に溶着して、そして、表側の二重構造シート１と裏側の二重構造シート２の間の積層は融着阻害処理面８が存在するので、半溶着状態に固定されている台紙Ｄが形成される。
図６の台紙Ｄの表面側に、商品を収納したブリスター部４のフランジ５を接着すると、図１のブリスター包装体が作成できる。
図３〜６の手順による本発明のブリスター包装体の製造方法は、構造を分かり易くするために開示した方法である。
【００１０】
本発明のブリスター包装体の実用的に好ましい製造方法は、製造すべきブリスター包装体の台紙の幅の４倍以上の横幅を有する長尺の帯状合成樹脂シートに、製造すべき台紙の所定の幅毎に印刷模様を反復印刷した印刷面を有する帯状合成樹脂シートを作製して、これを一旦ロール巻きにして用意する。次いで、帯状合成樹脂シートの印刷面がある端縁部のいずれか一方に帯状合成樹脂シート幅の略２５％の幅以上に融着阻害処理したものを作製し、これを一旦ロール巻きにして準備しておく。コロナ放電処理の場合は、片面の全面にコロナ放電処理したフイルムに所定の印刷を施工して準備する。全面にコロナ放電処理し、その上に印刷した印刷フイルムは、下記の製造方法にそのまま印刷フイルムとして適用することができる。
前記略２５％の幅以上の融着阻害処理面８の中の必須の略２５％の部分は、図１の融着阻害処理面８となるものであり、融着阻害処理面８は、図４のように、印刷区分１５の上に設けることができるが、別の態様として、図４の印刷区分１６の上に塗布することもできる。どちらに塗布しても、四重構造シートを形成したときは、図１の四重積層の中央の融着阻害処理面８となる。この融着阻害処理面８の幅は、表側の二重構造シート１と裏側の二重構造シート２の長さが同一のときは２５％の幅となるが、両者の長さが異なるときは、融着阻害処理面の幅は２０〜３０％程度に増減させることができる。そして、融着阻害処理面を印刷面がある片面の全面に施工しても、表裏の二重構造シートの内部積層には存在することにならないので、二重構造シートの溶断溶着は強固に溶着しているので、台紙の強度は低下することはない。
ここに準備した印刷面を有し、片方の縁に融着阻害処理面８を有するロール巻き帯状合成樹脂シートを連続的に折り曲げ工程に送り出して、帯状合成樹脂シートの両端縁から一定距離の２本の平行線上で、印刷面が外側に向くように折り曲げて、帯状合成樹脂シートの中央部の上に両端縁部を、両端がちょうど帯状合成樹脂シートの中央線近傍の接合線上で一致して接合するように重ねて、長尺の帯状シートの全幅に亘って二重構造となる帯状合成樹脂シートを形成する。このときの帯状合成樹脂シートの長手方向に対して垂直の横断面形状は、図５の台紙の断面に一致する。
【００１１】
次いで、前記中央線近傍の接合線上で二重構造の帯状合成樹脂シートを折り曲げて重合して帯状四重構造シートを形成する。このときの帯状合成樹脂シートの長手方向に対して垂直の横断形状は、図６の台紙の断面に一致する。
帯状四重構造シートを台紙の幅に対応したワンピッチ移送に転換して、これをブリスター部の固定工程に送り出して、商品入りのブリスター部を台紙表面に固定したのちに、台紙の幅毎に帯状四重構造シートを溶断して、ブリスター包装体の製造は完了する。
この製造方法において、印刷面を有する帯状合成樹脂シートとして、帯状合成樹脂シートに薄手の印刷フイルムを積層したものを用いることができる。
本発明の図１のブリスター包装体は、裏側から見た外観は図７の斜視図に示す通りとなる。図７のブリスター包装体の台紙の裏面側には、印刷区分１４の印刷面が最初に露出している。
この印刷区分１４の二重構造シートの上縁に指を入れて引き剥がすと、図８のように、印刷区分１５及び１６が露出して、取扱説明書及び使用上の注意の文章の印刷を読み取ることができる。
本発明の印刷合成樹脂シートとして、合成樹脂シートの表面に、直接印刷した合成樹脂シートを用いる代わりに、白色又は単色の合成樹脂シートに、薄い印刷フイルムを積層した積層シートを用いることができる。この場合、印刷フイルムの印刷面を裏刷りして、印刷面を積層面にして積層すると印刷面の鮮明度が増加するので望ましい。
また、印刷面を有する合成樹脂シートの印刷面の上に、薄い印刷保護フイルムを積層することもできる。ここに用いる保護フイルムは、特に制限はないが、光沢及び印刷模様の見栄えが良くなる点で、ポリプロピレンフイルムが望ましい。
薄い印刷フイルム又は保護フイルムを合成樹脂シートに積層する態様は、図４、５の図面の印刷層７を、印刷フイルム層７又は保護フイルム層７とすれば、全く同一の図面で印刷フイルム又は保護フイルムを積層した印刷面を有する合成樹脂シートの態様の説明となる。そして、薄手印刷フイルム又は保護フイルムの積層には、常用されているドライラミネート方式が望ましい。
【００１２】
さらに、本発明の第３の態様として、印刷合成樹脂シートとして、前述の片面印刷の裏面側にも、印刷層を設けたものを使用して、二重構造の長方形合成樹脂シートの積層内面の少なくとも一部に印刷面を存在させ、該印刷面を有する積層の少なくとも一方の面に融着阻害処理面９若しくは融着阻害処理面１０を設けたブリスター包装材を用いることができる。
この態様のブリスター包装体は、図９の断面図に示すものである。
図９において、符号７は、印刷層又は印刷フイルム層を示すものである。図９では、融着阻害処理面は、表側の二重構造シート１と裏側の二重構造シート２の間の融着阻害処理面８のみでなく、表側の二重構造シート１の積層間の融着阻害処理面１０及び裏側の二重構造シート２の積層間の融着阻害処理面９を設けている。その結果、融着阻害処理面９及び融着阻害処理面１０が存在する裏側の二重構造シート２及び表側の二重構造シート１は、図８のように、前記袋体部の上縁を引き剥がして、印刷区分１５及び印刷区分１６の２面の印刷区分を露出させた状態から、二つの印刷区分の境界線部分から、指で、裏側の二重構造シート２の端を下方に引き剥がし、表側の二重構造シート１の端を上方に引き剥がすと、新たにそれぞれ２面合わせて４面の印刷面を露出させることができる。ブリスター包装体の裏面にある印刷区分１４の印刷面以外に、合計６面の印刷面を増加させることができる。
新たに増加した印刷面は、図５の印刷区分１３〜１６の裏面の４区分に予め印刷してある印刷面である。この印刷は、長尺の合成樹脂シートの表裏の２度刷り印刷で印刷することができる。
図９のブリスター包装体のように、融着阻害処理面を３ヵ所に設けると、６面の印刷面を露出させることができるが、融着阻害処理面を２ヵ所にすると、４面の印刷面を増加させることができる。
増加すべき印刷面の必要スペースに対応して、融着阻害処理面は１〜３ヶ所を選択することができる。また、増加した印刷面のスペースが余った場合は、この印刷面を宣伝広告面に活用することもできる。表裏の二重構造シートの内面を半溶着にした場合は、台紙の四重の積層構造は全部剥離可能になるが、本発明ブリスター包装体離台紙は、四重構造は一体的側縁で半溶着されていて、包装段階から消費者までの流通経路での取り扱いにおいて側縁の半溶着が剥離されて、台紙が変形することはない。
印刷スペースを３〜６面に増加したブリスター包装体（図９）を製造するときは、帯状合成樹脂シートの融着阻害処理面を、図９の表側の二重構造シート１の融着阻害処理面１０及び裏側の二重構造シート２の融着阻害処理面９に対応する位置に、融着阻害処理面を設けたものを用意するだけで、前述の図１のブリスター包装体の同一の製造方法によって、図９のブリスター包装体を製造することができる。
【産業上の利用可能性】
【００１３】
本発明は、詳細な取扱説明書が必要な商品を、ブリスター包装体にして販売することを可能とし、小型商品の販売分野において有用な発明である。
【図面の簡単な説明】
【００１４】
【図１】図１は、本発明ブリスター包装体の一態様の側断面図である。
【図２】図２は、図１のブリスター包装体の平面図である。
【図３】図３は、本発明ブリスター包装材の台紙の展開平面図である。
【図４】図４は、図３の断面図である。
【図５】図５は、図４の両端を折り曲げて重合した二重構造シートの断面図である。
【図６】図６は、図５を二重構造シート折り曲げた四重構造シートの断面図である。
【図７】図７は、本発明ブリスター包装体の一態様の裏側から見た外観を示す斜視図である。
【図８】図８は、図７のブリスター包装体の裏側シートを剥がした状態を示す斜視図である。
【図９】図９は、本発明ブリスター包装体の印刷面をさらに増加させた態様の断面図である。
【符号の説明】
【００１５】
１  表側の二重構造シート
２  裏側の二重構造シート
３  印刷面を有する合成樹脂シート
４  ブリスター部
５  フランジ
６  吊り下げ穴
７  印刷層（印刷フイルム層、保護フイルム層）
８  融着阻害処理面（中央）
９  融着阻害処理面（裏側二重構造シート内面）
１０  融着阻害処理面（表側二重構造シート内面）
１１  溶断線
１２  商品
１３、１４、１５、１６  印刷区分
１７、１８、１９  印刷区分境界の折り曲げ線
Ａ  合成樹脂シート
Ｄ  台紙
Ｓ  袋体底部
Ｒ  上縁（裏側二重構造シート）
Ｔ  上縁（表側二重構造シート）
【図１】
2010064768.tif 000003
【図２】
2010064768.tif 000004
【図３】
2010064768.tif 000005
【図４】
2010064768.tif 000006
【図５】
2010064768.tif 000007
【図６】
2010064768.tif 000008
【図７】
2010064768.tif 000009
【図８】
2010064768.tif 000010
【図９】
2010064768.tif 000011